【手続補正書】
【提出日】平成27年8月19日(2015.8.19)
【手続補正１】
【補正対象書類名】明細書
【補正対象項目名】００２０
【補正方法】変更
【補正の内容】
【００２０】
上記の目的を達成するために、本発明による認証装置は、複数の被写体の各々についてその特定領域の特徴を示す画像データが記憶された記憶部を備え、画像中の被写体を特定被写体として前記画像データを用いて前記特定被写体の認証を行う認証装置であって、画像から前記特定被写体の特定領域を検出する特定領域検出手段と、前記特定被写体の特定領域から当該特定領域の特徴を示す特徴情報を抽出する特徴情報抽出手段と、前記画像データと前記特徴情報とを比較して、当該比較結果に応じて前記特定被写体の認証を行う認証手段と、前記特定被写体の特徴情報を前記記憶部に前記画像データの１つとして追加登録する際、前記複数の被写体の１つが当該特定被写体の特徴情報を追加する選択被写体として選択されると、当該選択被写体の画像データと前記特定被写体の特徴情報との類似度に応じて前記特定被写体の特徴情報を前記選択被写体の画像データとして追加登録するか否かを判定する登録判定手段とを有し、前記登録判定手段は、前記選択被写体の画像データと前記特定被写体の特徴情報との類似度が予め設定された登録用閾値よりも高いと前記特定被写体の特徴情報を前記選択被写体の画像データとして追加登録すると判定し、前記登録用閾値は、前記選択被写体の画像データの登録数に応じて変化することを特徴とする。
【手続補正２】
【補正対象書類名】明細書
【補正対象項目名】００２１
【補正方法】変更
【補正の内容】
【００２１】
本発明による認証方法は、複数の被写体の各々についてその特定領域の特徴を示す画像データが記憶された記憶部を備え、画像中の被写体を特定被写体として前記画像データを用いて前記特定被写体の認証を行う認証装置で行われる認証方法であって、画像から前記特定被写体の特定領域を検出する特定領域検出ステップと、前記特定被写体の特定領域から当該特定領域の特徴を示す特徴情報を抽出する特徴情報抽出ステップと、前記画像データと前記特徴情報とを比較して、当該比較結果に応じて前記特定被写体の認証を行う認証ステップと、前記特定被写体の特徴情報を前記記憶部に前記画像データの１つとして追加登録する際、前記複数の被写体の１つが当該特定被写体の特徴情報を追加する選択被写体として選択されると、当該選択被写体の画像データと前記特定被写体の特徴情報との類似度に応じて前記特定被写体の特徴情報を前記選択被写体の画像データとして追加登録するか否かを判定する登録判定ステップとを有し、前記登録判定ステップでは、前記選択被写体の画像データと前記特定被写体の特徴情報との類似度が予め設定された登録用閾値よりも高いと前記特定被写体の特徴情報を前記選択被写体の画像データとして追加登録すると判定し、前記登録用閾値は、前記選択被写体の画像データの登録数に応じて変化することを特徴とする。
【手続補正３】
【補正対象書類名】明細書
【補正対象項目名】００２２
【補正方法】変更
【補正の内容】
【００２２】
本発明によるプログラムは、複数の被写体の各々についてその特定領域の特徴を示す画像データが記憶された記憶部を備え、画像中の被写体を特定被写体として前記画像データを用いて前記特定被写体の認証を行う認証装置で用いられるプログラムであって、前記認証装置が備えるコンピュータに、画像から前記特定被写体の特定領域を検出する特定領域検出ステップと、前記特定被写体の特定領域から当該特定領域の特徴を示す特徴情報を抽出する特徴情報抽出ステップと、前記画像データと前記特徴情報とを比較して、当該比較結果に応じて前記特定被写体の認証を行う認証ステップと、前記特定被写体の特徴情報を前記記憶部に前記画像データの１つとして追加登録する際、前記複数の被写体の１つが当該特定被写体の特徴情報を追加する選択被写体として選択されると、当該選択被写体の画像データと前記特定被写体の特徴情報との類似度に応じて前記特定被写体の特徴情報を前記選択被写体の画像データとして追加登録するか否かを判定する登録判定ステップとを実行させ、前記登録判定ステップでは、前記選択被写体の画像データと前記特定被写体の特徴情報との類似度が予め設定された登録用閾値よりも高いと前記特定被写体の特徴情報を前記選択被写体の画像データとして追加登録すると判定し、前記登録用閾値は、前記選択被写体の画像データの登録数に応じて変化することを特徴とする。
【手続補正４】
【補正対象書類名】特許請求の範囲
【補正対象項目名】全文
【補正方法】変更
【補正の内容】
【特許請求の範囲】
【請求項１】
複数の被写体の各々についてその特定領域の特徴を示す画像データが記憶された記憶部を備え、画像中の被写体を特定被写体として前記画像データを用いて前記特定被写体の認証を行う認証装置であって、
画像から前記特定被写体の特定領域を検出する特定領域検出手段と、
前記特定被写体の特定領域から当該特定領域の特徴を示す特徴情報を抽出する特徴情報抽出手段と、
前記画像データと前記特徴情報とを比較して、当該比較結果に応じて前記特定被写体の認証を行う認証手段と、
前記特定被写体の特徴情報を前記記憶部に前記画像データの１つとして追加登録する際、前記複数の被写体の１つが当該特定被写体の特徴情報を追加する選択被写体として選択されると、当該選択被写体の画像データと前記特定被写体の特徴情報との類似度に応じて前記特定被写体の特徴情報を前記選択被写体の画像データとして追加登録するか否かを判定する登録判定手段とを有し、
前記登録判定手段は、前記選択被写体の画像データと前記特定被写体の特徴情報との類似度が予め設定された登録用閾値よりも高いと前記特定被写体の特徴情報を前記選択被写体の画像データとして追加登録すると判定し、
前記登録用閾値は、前記選択被写体の画像データの登録数に応じて変化することを特徴とする認証装置。
【請求項２】
前記登録用閾値は、前記選択被写体の画像データの登録数が増加するにつれて大きくなることを特徴とする請求項１に記載の認証装置。
【請求項３】
前記記憶部には、前記被写体の各々について、前記画像データが類似度に応じてグループに分類されて登録されており、
前記登録判定手段は、前記画像データの代わりに、前記選択被写体について前記グループの特徴を示す分類情報を用いて、前記特定被写体の特徴情報と前記分類情報との類似度に応じて、前記特定被写体の特徴情報を前記選択被写体のいずれのグループに追加登録するかを判定することを特徴とする請求項１に記載の認証装置。
【請求項４】
前記登録判定手段は、前記グループの各々についてその分類情報と前記特定被写体の特徴情報との類似度を求めて、予め設定された登録用閾値を超えた類似度のうち最大値となる類似度に係る分類情報のグループに前記特定被写体の特徴情報を登録すると判定することを特徴とする請求項３に記載の認証装置。
【請求項５】
前記登録判定手段は、前記類似度の全てが前記登録用閾値以下であると、前記特定被写体の特徴情報を前記選択被写体に係る新規のグループに登録すると判定することを特徴とする請求項４に記載の認証装置。
【請求項６】
前記登録用閾値は、各グループにおける画像データの登録数に応じて変化することを特徴とする請求項４又は５に記載の認証装置。
【請求項７】
前記登録用閾値は、前記グループにおける画像データの登録数が増加するにつれて大きくな請求項６に記載の認証装置。
【請求項８】
前記特定領域は人物の顔であることを特徴とする請求項１〜７のいずれか１項に記載の認証装置。
【請求項９】
複数の被写体の各々についてその特定領域の特徴を示す画像データが記憶された記憶部を備え、画像中の被写体を特定被写体として前記画像データを用いて前記特定被写体の認証を行う認証装置で行われる認証方法であって、
画像から前記特定被写体の特定領域を検出する特定領域検出ステップと、
前記特定被写体の特定領域から当該特定領域の特徴を示す特徴情報を抽出する特徴情報抽出ステップと、
前記画像データと前記特徴情報とを比較して、当該比較結果に応じて前記特定被写体の認証を行う認証ステップと、
前記特定被写体の特徴情報を前記記憶部に前記画像データの１つとして追加登録する際、前記複数の被写体の１つが当該特定被写体の特徴情報を追加する選択被写体として選択されると、当該選択被写体の画像データと前記特定被写体の特徴情報との類似度に応じて前記特定被写体の特徴情報を前記選択被写体の画像データとして追加登録するか否かを判定する登録判定ステップとを有し、
前記登録判定ステップでは、前記選択被写体の画像データと前記特定被写体の特徴情報との類似度が予め設定された登録用閾値よりも高いと前記特定被写体の特徴情報を前記選択被写体の画像データとして追加登録すると判定し、
前記登録用閾値は、前記選択被写体の画像データの登録数に応じて変化することを特徴とする認証方法。
【請求項１０】
複数の被写体の各々についてその特定領域の特徴を示す画像データが記憶された記憶部を備え、画像中の被写体を特定被写体として前記画像データを用いて前記特定被写体の認証を行う認証装置で用いられるプログラムであって、
前記認証装置が備えるコンピュータに、
画像から前記特定被写体の特定領域を検出する特定領域検出ステップと、
前記特定被写体の特定領域から当該特定領域の特徴を示す特徴情報を抽出する特徴情報抽出ステップと、
前記画像データと前記特徴情報とを比較して、当該比較結果に応じて前記特定被写体の認証を行う認証ステップと、
前記特定被写体の特徴情報を前記記憶部に前記画像データの１つとして追加登録する際、前記複数の被写体の１つが当該特定被写体の特徴情報を追加する選択被写体として選択されると、当該選択被写体の画像データと前記特定被写体の特徴情報との類似度に応じて前記特定被写体の特徴情報を前記選択被写体の画像データとして追加登録するか否かを判定する登録判定ステップとを実行させ、
前記登録判定ステップでは、前記選択被写体の画像データと前記特定被写体の特徴情報との類似度が予め設定された登録用閾値よりも高いと前記特定被写体の特徴情報を前記選択被写体の画像データとして追加登録すると判定し、
前記登録用閾値は、前記選択被写体の画像データの登録数に応じて変化することを特徴とするプログラム。
【請求項１１】
複数の被写体の各々についてその特定領域の特徴を示す画像データが記憶された記憶手段と、
前記記憶手段に記憶された画像データと、登録前の被写体の特定領域の特徴を示す特徴情報とを比較して前記特徴の比較結果に基づいて前記被写体の認証を行う認証手段と、
前記複数の被写体から選択された被写体の画像データと登録前の前記特徴情報との類似度を登録用閾値と比較して、前記類似度の比較結果に基づいて登録前の特徴情報を、前記選択された被写体の画像データとして追加登録するか否かを決定する登録決定手段とを有し、
前記登録用閾値は前記選択された被写体の画像データの登録数に応じて変化することを特徴とする認証装置。
【請求項１２】
前記登録用閾値は、前記選択された被写体の画像データの登録数が増加するにつれて大きくなることを特徴とする請求項１１に記載の認証装置。
【請求項１３】
前記被写体は顔を含むことを特徴とする請求項１１又は１２に記載の認証装置。
【請求項１４】
複数の被写体の各々についてその特定領域の特徴を示す画像データが記憶された記憶部を備える認証装置で用いられる認証方法であって、
前記記憶部に記憶された画像データと、登録前の被写体の特定領域の特徴を示す特徴情報とを比較して前記特徴の比較結果に基づいて前記被写体の認証を行う第１のステップと、
前記複数の被写体から選択された被写体の画像データと登録前の前記特徴情報との類似度を登録用閾値と比較して、前記類似度の比較結果に基づいて登録前の特徴情報を、前記選択された被写体の画像データとして追加登録するか否かを決定する第２のステップとを有し、
前記登録用閾値は前記選択された被写体の画像データの登録数に応じて変化することを特徴とする認証方法。
【請求項１５】
前記登録用閾値は、前記選択された被写体の画像データの登録数が増加するにつれて大きくなることを特徴とする請求項１４に記載の認証方法。
【請求項１６】
複数の被写体の各々についてその特定領域の特徴を示す画像データが記憶された記憶部を備える認証装置で用いられるプログラムであって、
前記認証装置に備えられたコンピュータに、
前記記憶部に記憶された画像データと、登録前の被写体の特定領域の特徴を示す特徴情報とを比較して前記特徴の比較結果に基づいて前記被写体の認証を行う第１のステップと、
前記複数の被写体から選択された被写体の画像データと登録前の前記特徴情報との類似度を登録用閾値と比較して、前記類似度の比較結果に基づいて登録前の特徴情報を、前記選択された被写体の画像データとして追加登録するか否かを決定する第２のステップとを実行させ、
前記登録用閾値は前記選択された被写体の画像データの登録数に応じて変化することを特徴とするプログラム。
【請求項１７】
前記登録用閾値は、前記選択された被写体の画像データの登録数が増加するにつれて大きくなることを特徴とする請求項１６に記載のプログラム。
【請求項１８】
特定画像の特徴を示す特徴データを予め記憶する記憶手段と、
前記記憶手段に記憶された特徴データの量を変更する特徴データ量変更手段と、
前記記憶手段に記憶された特徴データと対象画像とを比較し、その比較結果が所定の認識閾値を越えると前記対象画像が前記特定画像であると認識する認識手段と、
前記特徴データ量変更手段によって前記特徴データ量が変更されることに応じて前記認識手段における前記認識閾値を変化させる閾値変更手段と、
を有することを特徴とする画像認識装置。
【請求項１９】
前記特徴データ量変更手段は、前記記憶手段に記憶される特徴データの登録数を変更することを特徴とする請求項１８に記載の画像認識装置。
【請求項２０】
前記特徴データは特定画像の部分的な画像データを含むことを特徴とする請求項１８又は１９に記載の画像認識装置。
【請求項２１】
前記閾値変更手段は前記特徴データ量が多いほど閾値を高くすることを特徴とする請求項１８〜２０のいずれか１項に記載の画像認識装置。
【請求項２２】
前記特定画像は顔の画像を含むことを特徴とする請求項１８〜２１のいずれか１項に記載の画像認識装置。
【請求項２３】
画像認識装置で用いられる画像認識方法であって、
特定画像の特徴を示す特徴データを記憶部に予め記憶する記憶ステップと、
前記記憶部に記憶された特徴データの量を変更する特徴データ量変更ステップと、
前記記憶部に記憶された特徴データと対象画像とを比較し、その比較結果が所定の認識閾値を越えると前記対象画像が前記特定画像であると認識する認識ステップと、
前記特徴データ量変更ステップで前記特徴データ量が変更されることに応じて前記認識ステップにおける前記認識閾値を変化させる閾値変更ステップと、
を有することを特徴とする画像認識方法。
【請求項２４】
前記閾値変更ステップでは前記特徴データ量が多いほど閾値を高くすることを特徴とする請求項２３に記載の画像認識方法。
【請求項２５】
画像認識装置で用いられるプログラムであって、
前記画像認識装置が備えるコンピュータに、
特定画像の特徴を示す特徴データを記憶部に予め記憶する記憶ステップと、
前記記憶部に記憶された特徴データの量を変更する特徴データ量変更ステップと、
前記記憶部に記憶された特徴データと対象画像とを比較し、その比較結果が所定の認識閾値を越えると前記対象画像が前記特定画像であると認識する認識ステップと、
前記特徴データ量変更ステップで前記特徴データ量が変更されることに応じて前記認識ステップにおける前記認識閾値を変化させる閾値変更ステップと、
を実行させることを特徴とするプログラム。
【請求項２６】
前記閾値変更ステップでは前記特徴データ量が多いほど閾値を高くすることを特徴とする請求項２５に記載のプログラム。
【請求項２７】
複数の被写体の各々についてその特定領域の特徴を示す画像データが記憶された記憶手段と、
前記複数の被写体から選択された被写体の画像データと認証前の被写体の特定領域の特徴を示す特徴情報との類似度を認証用閾値と比較して、前記類似度の比較結果に基づいて認証前の特徴情報を、前記選択された被写体の画像データとして認証するか否かを決定する決定手段とを有し、
前記認証用閾値は、前記選択された被写体の画像データの登録数に応じて変化することを特徴とする認証装置。
【請求項２８】
前記認証用閾値は、前記選択された被写体の画像データの登録数が増加するにつれて大きくなることを特徴とする請求項２７に記載の認証装置。
【請求項２９】
前記被写体は顔を含むことを特徴とする請求項２７又は２８に記載の認証装置。
【請求項３０】
複数の被写体の各々についてその特定領域の特徴を示す画像データが記憶された記憶部を備える認証装置で用いられる認証方法であって、
前記複数の被写体から選択された被写体の画像データと認証前の被写体の特定領域の特徴を示す特徴情報との類似度を認証用閾値と比較して、前記類似度の比較結果に基づいて認証前の特徴情報を、前記選択された被写体の画像データとして認証するか否かを決定する決定ステップを備え、
前記認証用閾値は、前記選択された被写体の画像データの登録数に応じて変化することを特徴とする認証方法。
【請求項３１】
複数の被写体の各々についてその特定領域の特徴を示す画像データが記憶された記憶部を備える認証装置で用いられるプログラムであって、
前記認証装置が備えるコンピュータに、
前記複数の被写体から選択された被写体の画像データと認証前の被写体の特定領域の特徴を示す特徴情報との類似度を認証用閾値と比較して、前記類似度の比較結果に基づいて認証前の特徴情報を、前記選択された被写体の画像データとして認証するか否かを決定する決定ステップを実行させ、
前記認証用閾値は、前記選択された被写体の画像データの登録数に応じて変化することを特徴とするプログラム。